(57)【要約】【課題】低消費電力モードをより低い電力にし、かつ電源を遮断するための素子も必要最小限に抑えること。【解決手段】カートリッジを着脱可能で、かつ、低消費電力モードで動作可能な画像形成装置であって、低消費電力モードの終了後に、装着されているカートリッジの識別情報を、低消費電力モードの前に装着されていたカートリッジの識別情報と比較し（Ｓ６１２）、比較の結果、識別情報が一致しない場合には、低消費電力モード中にカートリッジの交換が行われたと判断して処理を行う（Ｓ６１３）。【選択図】  図６
2004184850.tif 000002
【特許請求の範囲】
【請求項１】
カートリッジを着脱可能で、かつ、低消費電力モードで動作可能な画像形成装置であって、
低消費電力モードの終了後に、装着されているカートリッジの識別情報を、低消費電力モードの前に装着されていたカートリッジの識別情報と比較する比較手段と、
前記比較手段での比較の結果、識別情報が一致しない場合には、低消費電力モード中にカートリッジの交換が行われたと判断して処理を行う処理手段と、
を有することを特徴とする画像形成装置。
【発明の詳細な説明】
【０００１】
【発明の属する技術分野】
本発明は、画像形成装置の消費電力を低減させる技術に関するものである。
【０００２】
【従来の技術】
従来から、電源を落とさずに駆動系などに対する電力供給を中断する低消費電力モードを備えた画像形成装置が存在する（例えば特許文献１参照）。このような低消費電力モードは、画像形成装置の消費電力を抑えるために有効である。
【０００３】
【特許文献１】
特開昭６３−３１９１７６号公報
【０００４】
【発明が解決しようとする課題】
しかしながら、交換可能なカートリッジを備えた画像形成装置では、低消費電力モードであってもカートリッジの交換が行われたか否かを監視するための電力が供給されていた。これは、カートリッジが交換された場合にはそのカートリッジに対して所定の初期化処理を実行する必要があるからである。
【０００５】
一方、近年では、環境問題の高まりに伴って、資源やエネルギーを一層削減することが求められている。
【０００６】
本発明は、上記要望に応えるために成されたもので、その目的とするところは、画像形成装置の消費電力をより一層低減させることにある。
【０００７】
【課題を解決するための手段】
上記目的を達成するため、本発明に係る装置は、
カートリッジを着脱可能で、かつ、低消費電力モードで動作可能な画像形成装置であって、
低消費電力モードの終了後に、装着されているカートリッジの識別情報を、低消費電力モードの前に装着されていたカートリッジの識別情報と比較する比較手段と、
前記比較手段での比較の結果、識別情報が一致しない場合には、低消費電力モード中にカートリッジの交換が行われたと判断して処理を行う処理手段と、
を有することを特徴とする。
【０００８】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００９】
＜概要＞
交換可能なプロセスカートリッジに固有のシリアル番号を記憶した不揮発性メモリを搭載し、画像形成装置の本体側でもプロセスカートリッジのシリアル番号を記憶しておく。これにより、低消費電力モードから復帰した後でシリアル番号を照らし合わせばプロセスカートリッジが交換されたか否かを判定できる。従って、低消費電力モード中にプロセスカートリッジの交換を監視する必要がなく、より一層消費電力を低減できる。
【００１０】
＜装置の機構＞
ここでは、本発明に係る画像形成装置の実施形態として、電子写真方式のプリンタについて説明する。
【００１１】
図１は、本発明の実施形態としてのプリンタの概略構成を示す断面図である。
【００１２】
ここで１は、静電潜像を形成するための感光体ドラム、２は感光体ドラム１を一様に帯電するための帯電ローラ、５はレーザビームを感光ドラム１上で走査するための光学ユニットである。
【００１３】
また、６は光学ユニット５から発せられたレーザビーム、３は、レーザビームにより感光ドラム１上に形成された静電潜像を、トナーにて現像するための現像器、４は感光体ドラム１上のトナー像を、所定の用紙に転写する転写ローラ帯電器、７は用紙上のトナーを溶融して用紙に定着させる定着器である。
【００１４】
また、８は印字する用紙を積載しておくための標準カセット、９は標準カセットから用紙をピックアップする標準カセット給紙ローラ、１０は手差しトレイ、１１は手差し給紙ローラ、１２は用紙を機外へ排出するための排出ローラである。
【００１５】
さらに、１３は搬送されてきた用紙の印字のための先端レジストをとるためのレジストセンサ、１４は用紙が正常に定着器を排出終了したかを確認するための排紙センサ、１５は標準カセットの紙有無を検出するセンサ、１６は手差し用紙有無を検出するためのセンサである。
【００１６】
１７は感光体ドラム１、帯電ローラ２、現像器３、トナー収容部が一体となりプリンタ本体から脱着可能なプロセスカートリッジ、１９はプロセスカートリッジ内にあって、プリンタ本体の制御部とシリアル回線を介してデータの送受信を行いデータの書き込みや読み出しを行う不揮発性メモリユニットである。図２はプロセスカートリッジ１７内の構成を拡大して示した断面図である。
【００１７】
＜制御部の構成＞
図３は、本実施形態に係るプリンタの各制御部を説明するブロック図である。
【００１８】
プリンタには、プリンタ全体をコントロールするプリンタコントローラ２０１の他、プリンタに含まれる各ユニットを制御するための、プリントエンジン制御部２０２、用紙搬送制御部２０３、光学系制御部２０４、高圧系制御部２０５、定着器温度制御部２０６、紙有無センサ入力部２０７、ドア開閉検出部２０８が含まれている。
【００１９】
プリンタコントローラ２０１は、ホストコンピュータとの間で通信を行い、印刷データを受信し、受信した印刷データを印字可能な画像データに展開すると共に、プリントエンジン制御部２０２との間で信号のやり取りを行う。
【００２０】
プリントエンジン制御部２０２は、シリアル通信を介してプリントエンジンの制御を行う。
【００２１】
用紙搬送制御部３０３は、プリントする用紙を給紙搬送しプリント後の排紙までの紙搬送をエンジン制御部の指示に基づき実行する。
【００２２】
光学系制御部２０４はスキャナモータの駆動及びレーザのＯＮ／ＯＦＦ制御をエンジン制御部の指示に基づき実行する。高圧系制御部２０５は帯電、現像、転写等の電子写真プロセスに必要な高圧出力をエンジン制御部の指示に基づき実行する。定着温度制御部２０６はエンジン制御部の指示に基づき定着器の温度制御を行なうとともに、定着器の異常検出等を行う。紙有無センサ入力部２０７は給紙部及び紙搬送路内の紙有無センサの情報をエンジン制御部に伝達する。ドア開閉検出部２０８はプロセスカートリッジを着脱する際に開閉する本体カバーの開閉状態を検出する。
【００２３】
エンジン制御部２０２は、ＡＣ入力部／ヒータ駆動部２１０、低圧電源部２１１、電源供給制御部２１２、メモリ通信制御部２１３を含む。
【００２４】
これらのうち、ＡＣ入力部／ヒータ駆動部２１０は商用のＡＣ電源を受け、定着器へのヒータ電力を供給する。低圧電源部２１１はＡＣ入力部２１０からのＡＣ電源を受けエンジン内部の各種制御系、駆動系を動作させるためのＤＣ電圧を発生させる。
【００２５】
電源供給制御部２１２は本体の低消費電力モード時に低圧電源部から受けたＤＣ電圧の供給を遮断し、通常モード時にはＤＣ電圧を供給する制御を行う。メモリ通信制御部２１３はプロセスカートリッジ１７に設けられた不揮発性メモリユニット１９との間でシリアル通信を行い、データの読み出し書き込みを制御する。
【００２６】
＜メモリの内容＞
図４は、プロセスカートリッジ１７に設けられた不揮発性メモリ１９の内容を示す図である。
【００２７】
メモリ内は各アドレスごとに１６ｂｉｔ単位のデータが書き込まれている。
【００２８】
その内容としては、製造年月日、シリアル番号、新品カートリッジビット（”１”＝新品）、プリント総枚数カウンタ、トナー残量、などが含まれている。この不揮発性メモリは、ＣＲＧ出荷時に初期値を書き込まれた状態で出荷される。エンジン制御部２０２のメモリ通信制御部２１３が不揮発性メモリ１９のアドレス０２Ｈの内容をシリアル通信を介して読み取ることによって、装着されているカートリッジ１７のシリアル番号を認識することができる。
【００２９】
＜電源供給制御部の構成＞
図５は、電源供給制御部２１２及びそれらに接続される各種制御部の構成を詳細に示す図である。
【００３０】
低圧電源２１１は、ＡＣ入力から＋３．３Ｖと＋２４Ｖを作り出しており、＋３．３Ｖは紙有無センサ２０７へ供給され、＋２４Ｖは、高圧系制御部２０５、搬送系制御部２０３、及び光学系制御部２０４へ供給されている。
【００３１】
スイッチ５０１は、本体カバーの開閉に連動するインターロックスイッチである。プロセスカートリッジを着脱する際には本体カバーが開放されこのスイッチ５０１がＯＦＦの状態になる。
【００３２】
スイッチ５０１がＯＦＦになると、高圧系制御部２０５及び搬送系制御部２０３に対する電源＋２４Ｖの供給が停止する。スイッチ５０１がＯＦＦになっても＋２４Ｖの一部は、抵抗Ｒ１／Ｒ２の分圧電圧としてＣＰＵ５０２の入力ポートＰ１に接続される。
【００３３】
低消費電力モードに入ると、ＣＰＵ５０２はＦＥＴ５０３，５０４を制御して、紙有無センサ２０７への電源＋３．３Ｖの供給及び電源＋２４Ｖの全供給を停止する。従って、プリンタ本体が低消費電力モードに入っている間は、ＣＰＵ５０２は、ユーザがドアオープンしたことを検出できない。ただし、低電力消費モードでも、プリンタコントローラには電力が供給されている。
【００３４】
一方、図４で示したように、プロセスカートリッジ１７に搭載された不揮発性メモリユニット１９には所定のアドレスにシリアル番号が書き込まれている。このシリアル番号は、書き換えることがない読み出し専用領域に設定されている。また、この不揮発性メモリ１９のシリアル番号を、低消費電力モードに遷移する前に、予めプリンタ本体側のＲＡＭ（不図示）の所定アドレスに記憶しておく。そして低消費電力モードから復帰すると、メモリ通信制御部２１３は、まず不揮発性メモリ１９のシリアル番号を読み取り、次に、ＲＡＭの所定アドレスからシリアル番号を読出し、これらのシリアル番号を比較する。ここでシリアル番号が一致していればカートリッジの交換が行われていない、また一致しなければカートリッジの交換が行われた、と判断することができる。これにより、ＣＰＵ５０２がカバー開閉を監視する必要が無くなる。
【００３５】
＜シリアル番号照会処理＞
図６は、シリアル番号照会処理を詳しく示すフローチャートである。
【００３６】
まず、ステップＳ６０１では、電源投入後、前多回転の実行をする。この前多回転とは、プロセスカートリッジのイニシャライズや、不揮発性メモリの内容を全てチェックするための処理である。そしてステップＳ６０２でプロセスカートリッジ内の不揮発性メモリの内容を読み取り、ステップＳ６０３で、シリアル番号をエンジン制御部２０２内のＲＡＭに変数Ｍｅｍ１として格納しておく。
【００３７】
その後、ステップＳ６０４でプリンタコントローラからの低消費電力モードへの遷移要求を受けたかどうかをチェックし、要求が無い場合にはステップＳ６０５に進んで、ドア開閉の有無をチェックする。その間でドア開閉が行われた場合には再び前多回転からの処理を繰り返す。低消費電力モードへの遷移は、プリンタを使用しない可能性が高い場合に消費電力を低減させる目的で行われる。例えば、プリンタの動作しない時間が所定時間（例えば１時間など）経過すると、プリンタコントローラから低消費電力モードに遷移するように要求（信号）が送信される。
【００３８】
ステップＳ６０４でプリンタコントローラからの低消費電力モードへの遷移要求を受けた場合には、ステップＳ６０６に進み、その時点で実行中のプリントジョブがあれば、その終了を待ち、スタンバイ状態になってから、ステップＳ６０８に進んで、駆動系や制御系の電力供給を遮断するためのＦＥＴ５０３、５０４をＯＦＦにする。
【００３９】
その後はステップＳ６０８に進みプリンタコントローラからの低消費電力モード解除要求を待つ。尚、この低消費電力モードの期間中は、ドア開閉を含む全ての検出系や駆動系の電力は遮断され、唯一プリンタコントローラとのシリアル通信を実行するために必要なＣＰＵや通信回線への電力のみが供給されている状態にある。
【００４０】
通常モードへは、プリンタコントローラからの信号（解除要求）によって復帰します。例えば、外部機器（ホスト）などからプリントジョブが送信される場合や、ユーザによってプリンタのオペレーションパネルが操作されることによって、プリンタコントローラから復帰信号が送信されるなどです。
【００４１】
そして、プリンタコントローラから低消費電力モードの解除要求を受け取ると、ステップＳ６０８からステップＳ６０９に進み、駆動系や制御系の電力供給を再開する。そして、ステップＳ６１０で、プロセスカートリッジ１７の不揮発性メモリ１９の内容をチェックし、ステップＳ６１１でシリアル番号をエンジン制御部内のＲＡＭにＭｅｍ２として記憶する。
【００４２】
そして、ステップＳ６１２に進み、このＭｅｍ２と、低消費電力モードに遷移する前に記憶しておいたＭｅｍ１とを比較し、それらが一致している場合には、低消費電力モード中にプロセスカートリッジの交換が無かったものと判断し、ステップＳ６１５に進んで、前多回転の実行無しに即座にスタンバイ状態、すなわちプリンタコントローラからのプリント要求を実行できる状態に遷移する。
【００４３】
一方、ステップＳ６１２で、Ｍｅｍ１とＭｅｍ２のシリアル番号が一致しなかった場合には、低消費電力モード中にプロセスカートリッジが交換されたものと判断し、ステップＳ６１３に進み、電源投入時と同様に前多回転を実行する。そして、ステップＳ６１４で、全多回転の終了を待ち、ステップＳ６１５に進む。
【００４４】
このように、低消費電力モード前後のカートリッジのシリアル番号を比較することにより、低消費電力モード中にドア開閉の監視をすることなくカートリッジの交換を検出することができる。従って低消費電力モード中の供給電力を大幅に削減でき、一層の低消費電力化を図ることができる。また、電源を遮断するための素子も必要最小限に抑えることができる。
【００４５】
なお、図７に示すように、エンジン制御部２０２に、エンジン制御部内のＣＰＵから読み書きを実行できる不揮発性メモリ２１５を設け、不揮発性メモリ２１５に、カートリッジのシリアル番号を記憶してもよい。このような構成では、エンジン内のＣＰＵをＨａｌｔモードに設定することができ、より一層の電力削減を実現できる。この場合、エンジン内のＣＰＵをＨａｌｔモードから復帰させるためには、プリンタコントローラ２０１からのハードウエア信号を用いればよい。
【００４６】
また、図８のようにプリンタコントローラ側にカートリッジのシリアル番号を記憶するための不揮発性メモリ２１６を設けてもよい。この場合、低消費電力モードから復帰した際には、エンジン制御部２０２がプリンタコントローラ２０１とシリアル通信（／ＳＣ、／ＳＣＬＫによる通信）を行うことによって、低消費電力モードに入る前の不揮発性メモリのシリアル番号を受け取りよって前述のエンジン制御部内に不揮発性メモリを有した場合と同様の効果が得られる。その他、外部のホストコンピュータにカートリッジのシリアル番号を記憶してもよい。
【００４７】
次に、低消費電力モードに遷移する前後の状態のいずれかあるいは両者がプロセスカートリッジが装着されていない、あるいは不揮発性メモリが故障あるいは搭載されていない場合についての動作条件を示す。この動作条件の組み合わせは以下の表１のようになる。
【００４８】
【表１】
2004184850.tif 000003
【００４９】
ここに示すように、低電力消費モードから復帰した後に、不揮発性メモリから読み出したシリアル番号がエンジン制御部で確定される。そして、そのシリアル番号が低電力消費モード復帰前のシリアル番号と一致する場合には、エンジン制御部は前多回転処理を実行しないように制御する。逆に、シリアル番号が一致しない場合には、新規なカートリッジが挿入（装着）されたと判断して、エンジン制御部は前多回転処理を実行するよう制御する。また、不揮発性メモリが故障状態にあり、通信制御部に対して不揮発性メモリから応答があった場合でも、通信制御部によって読み出したシリアル番号がエンジン制御部において確定できないようなケースにおいてはプロセスカートリッジが変更になったかどうかを確定できないため（カートリッジの新旧判別不能状態）、安全を見て前多回転を実行する。
【００５０】
更に、不揮発性メモリから通信制御部に対して応答がないケースには、カートリッジが挿入（装着）されていないと判断し、エンジン制御部は前多回転処理は実行しないように制御する。これにより、より安全な制御が可能になる。一方ではユーザが使用する殆どの環境においては、不揮発性メモリのシリアル番号は一致するはずであるため、低消費電力モードから復帰した場合に前多回転動作無しに即座にプリント可能状態に遷移できる。つまり、低消費電力モードからのファーストプリントアウト時間を最短にすることができる上、低消費電力モード時の電力も低減することができる。また、電源を遮断するための素子も必要最小限に抑えることができる。
【００５１】
（他の実施形態）
以上、本発明の実施形態について詳述したが、本発明は、複数の機器から構成されるシステムに適用しても良いし、また、一つの機器からなる装置に適用しても良い。
【００５２】
また、上記実施形態では、感光体ドラム、帯電ローラ、現像器、トナー収容部がプロセスカートリッジとして脱着可能なプリンタについて説明したが、本発明はこれに限定されるものではない。例えば、トナー収容部のみを含むカートリッジを着脱可能なプリンタにも本発明を適用することは可能である。
【００５３】
また、上記実施形態では、カートリッジのシリアル番号が不揮発性メモリに格納されているものとしたが、本発明はこれに限られるものではなく、カートリッジの表面に付記されたバーコードを読みとるなど、他の方法を用いてカートリッジの識別情報を読みとってもよい。
【００５４】
また、上記実施形態では、カートリッジの識別情報としてシリアル番号を用いたが、その他の情報でも良いし、暗号化されていてもよい。
【００５５】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００５６】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００５７】
その場合、プログラムの機能を有していれば、オブジェクトコード、インタプリタにより実行されるプログラム、ＯＳに供給するスクリプトデータ等、プログラムの形態を問わない。
【００５８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５９】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６１】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６２】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００６３】
本発明の概念に含まれる実施態様の例を以下に列挙する。
【００６４】
［実施態様１］
カートリッジを着脱可能で、かつ、低消費電力モードで動作可能な画像形成装置であって、
低消費電力モードの終了後に、装着されているカートリッジの識別情報を、低消費電力モードの前に装着されていたカートリッジの識別情報と比較する比較手段と、
前記比較手段での比較の結果、識別情報が一致しない場合には、低消費電力モード中にカートリッジの交換が行われたと判断して処理を行う処理手段と、
を有することを特徴とする画像形成装置。
【００６５】
［実施態様２］
前記低消費電力モードの前に装着されていたカートリッジの前記識別情報を、前記低消費電力モード中に保持する保持手段を更に有することを特徴とする実施態様１に記載の画像形成装置。
【００６６】
［実施態様３］
前記保持手段は、不揮発性メモリであることを特徴とする実施態様２に記載の画像形成装置。
【００６７】
［実施態様４］
前記カートリッジが備えたメモリから前記識別情報を読みとる読取手段を更に有する実施態様１に記載の画像形成装置。
【００６８】
［実施態様５］
前記保持手段は、前記カートリッジが備えたメモリから前記読取手段によって読みとった前記識別情報を記憶する手段であることを特徴とする実施態様４に記載の画像形成装置。
【００６９】
［実施態様６］
前記識別情報は、前記カートリッジ固有のシリアル番号であることを特徴とする実施態様１に記載の画像形成装置。
【００７０】
［実施態様７］
前記処理手段は、前記低消費電力モードから通常の動作モードに遷移した際の動作条件を前記比較手段での比較の結果に基づいて切り替えることを特徴とする実施態様１に記載の画像形成装置。
【００７１】
［実施態様８］
電子写真方式の画像形成手段を更に備え、
前記処理手段は、前記比較手段での比較の結果、識別情報が一致しなければ、前記画像形成手段を初期化するイニシャル回転処理を実行することを特徴とする実施態様１に記載の画像形成装置。
【００７２】
［実施態様９］
前記低消費電力モードでは、前記カートリッジの着脱を検知するセンサを駆動しないことを特徴とする実施態様１に記載の画像形成装置。
【００７３】
［実施態様１０］
前記センサは、前記カートリッジの着脱時におけるカバーの開放を検知するセンサであることを特徴とする実施態様９に記載の画像形成装置。
【００７４】
［実施態様１１］
カートリッジを着脱可能で、かつ、低消費電力モードで動作可能な画像形成装置の制御方法であって、
低消費電力モードの終了後に、装着されているカートリッジの識別情報を、低消費電力モードの前に装着されていたカートリッジの識別情報と比較する比較工程と、
前記比較工程での比較の結果、識別情報が一致しない場合には、低消費電力モード中にカートリッジの交換が行われたと判断して処理を行う処理工程と、
を含むことを特徴とする画像形成装置の制御方法。
【００７５】
［実施態様１２］
カートリッジを着脱可能で、かつ、低消費電力モードで動作可能な画像形成装置の制御プログラムであって、
コンピュータに、
低消費電力モードの終了後に、装着されているカートリッジの識別情報を、低消費電力モードの前に装着されていたカートリッジの識別情報と比較する比較工程と、
前記比較工程での比較の結果、識別情報が一致しない場合には、低消費電力モード中にカートリッジの交換が行われたと判断して処理を行う処理工程と、
を実行させることを特徴とする画像形成装置の制御プログラム。
【００７６】
［実施態様１３］
実施態様１２に記載の制御プログラムを格納したことを特徴とするコンピュータ読み取り可能な記憶媒体。
【００７７】
［実施態様１４］
カートリッジを着脱可能で、かつ、低消費電力モードで動作可能な画像形成装置であって、
カートリッジの識別情報を読み取る読み取り手段と、
低消費電力モードの終了後に、前記読み取り手段によって読み出した装着されているカートリッジの識別情報が確定不能な状態である場合には、低消費電力モード中にカートリッジの交換が行われたと判断して処理を行う処理手段と、
を有することを特徴とする画像形成装置。
【００７８】
［実施態様１５］
カートリッジを着脱可能で、かつ、低消費電力モードで動作可能な画像形成装置であって、
カートリッジの識別情報を読み取る読み取り手段と、
低消費電力モードの終了後に、前記読み取り手段によって、装着されているカートリッジの識別情報が読み出し不能な状態である場合には、カートリッジが装着されていないと判断して処理を行わないように制御する処理手段と、
を有することを特徴とする画像形成装置。
【００７９】
【発明の効果】
本発明によれば、画像形成装置の消費電力をより一層低減させることができる。
【図面の簡単な説明】
【図１】本発明の実施形態としてのプリンタを示す概略構成図である。
【図２】本発明の実施形態としてのプリンタに着脱されるプロセスカートリッジを示す概略構成図である。
【図３】本発明の実施形態としてのプリンタの制御系を説明する図である。
【図４】本発明の実施形態としてのプリンタに着脱されるプロセスカートリッジに付属のメモリの内容を示す図である。
【図５】本発明の実施形態としてのプリンタの電源制御回路を示す図である。
【図６】本発明の実施形態としてのプリンタにおける処理の流れを示すフローチャートである。
【図７】本発明の他の実施形態としてのプリンタの電源制御回路を示す図である。
【図８】本発明の他の実施形態としてのプリンタの電源制御回路を示す図である。
【図１】
2004184850.tif 000004
【図２】
2004184850.tif 000005
【図３】
2004184850.tif 000006
【図４】
2004184850.tif 000007
【図５】
2004184850.tif 000008
【図６】
2004184850.tif 000009
【図７】
2004184850.tif 000010
【図８】
2004184850.tif 000011